(57)【要約】      （修正有）【課題】操作が簡単かつ便利なテーブル付きフィットネスバイクを提供する。【解決手段】テーブル付きフィットネスバイクは、フィットネスバイク車体アセンブリ及びテーブルアセンブリを含み、テーブルアセンブリは、摺動可能に接続するテーブル２及びテーブル固定座１１を含み、テーブル固定座は、テーブル固定座をフィットネスバイク車体アセンブリに対して上下に昇降させる昇降アセンブリによりフィットネスバイク車体に接続する。このような構造によれば、ユーザは、調整テーブルの高さ及び前後の位置を調整することができ、体格の異なるユーザに対応できるとともに、フィットネスバイクに乗ったまま、テーブルで操作できる。さらに、ユーザがフィットネスバイクを使用しないときは、テーブルをスライドして上げ、テーブル固定座から外し、立てテーブルとして使用できるため、非常に実用的である。【選択図】図２
2018198922.tif 000002
【特許請求の範囲】
【請求項１】
フィットネスバイク車体アセンブリ及びテーブルアセンブリを含むテーブル付きフィットネスバイクであって、
前記テーブルアセンブリは、摺動可能に接続するテーブル及びテーブル固定座を含み、
前記テーブル固定座は、当該テーブル固定座をフィットネスバイク車体アセンブリに対して上下に昇降可能にする昇降アセンブリによりフィットネスバイク車体アセンブリに接続する、
ことを特徴とするテーブル付きフィットネスバイク。
【請求項２】
前記昇降アセンブリには、
摺動スリーブと、
摺動スリーブ内に設けられ、下端がフィットネスバイク車体アセンブリに接続し、かつ上端が摺動スリーブに接続するロック機能付きガススプリングと、が設けられ、
摺動スリーブは、フィットネスバイク車体アセンブリに挿入して接続され、ロック機能付きガススプリングによりフィットネスバイク車体アセンブリに対して昇降可能であり、
前記テーブル固定座には、接続アセンブリを介してロック機能付きガススプリングの制御弁に接続し、ロック機能付きガススプリングの解放及びロックを制御するための第１のハンドルが設けられる、
ことを特徴とする請求項１に記載のテーブル付きフィットネスバイク。
【請求項３】
前記第１のハンドルは、第１のハンドル固定座によりテーブル固定座に固定され、第１のシャフトを介して第１のハンドル固定座に回動可能に接続し、
第１のシャフトの他端は押圧ブロックに接続し、押圧ブロックの下方には復帰バネ付きの突き出しピンアセンブリが設けられ、
突き出しピンアセンブリはロック機能付きガススプリング上端の制御弁に接続し、
第１のハンドルを回動すると、押圧ブロックが下方に押圧し、突き出しピンアセンブリを下方に移動させ、ロック機能付きガススプリングの制御弁を解放状態にし、第１のハンドルを放すと、突き出しピンアセンブリが復帰バネにより元の位置に戻り、ロック機能付きガススプリングの制御弁を閉じ、ロック機能付きガススプリングをロック状態にする、
ことを特徴とする請求項２に記載のテーブル付きフィットネスバイク。
【請求項４】
前記昇降アセンブリは電動式のリニア駆動装置であり、第１のリニア駆動装置を用いてテーブル固定座とフィットネスバイク車体とを接続し、テーブル固定座のフィットネスバイク車体に対する昇降を制御し、
第１のリニア駆動装置の制御ボタンはテーブルに設けられる、
ことを特徴とする請求項１に記載のテーブル付きフィットネスバイク。
【請求項５】
前記テーブルがテーブル固定座に摺動可能に接続する構造では、テーブルの下方にスライドレールが設けられ、テーブル固定座には、スライドレールに摺動可能に接続するスライドブロックが設けられ、テーブルがスライドレールを介してテーブル固定座に摺動可能に接続し、前記テーブルとテーブル固定座との間に、さらにテーブルを異なる摺動位置に固定するためのロック装置が設けられる、
ことを特徴とする請求項１に記載のテーブル付きフィットネスバイク。
【請求項６】
前記ロック装置は、第２のハンドルと、テーブル固定座に固定して接続された歯付きの位置規制バーとを含み、
第２のハンドルは第２のハンドル固定座によりテーブルの下方に接続し、第２のハンドルは第２のシャフトを介して第２のハンドル固定座に回動可能に接続し、
第２のシャフトの他端には歯付きの係止端が設けられ、第２のシャフトと第２のシャフト固定座との間には、さらに復帰ねじりバネが設けられ、
第２のハンドルの回動に連動して係止端が回動して位置規制バーの歯から脱離し、テーブルをテーブル固定座に対して摺動させ、第２のハンドルを放すと、係止端が復帰ねじりバネにより元の位置に戻り、位置規制バーの任意の歯に掛かかって止まり、テーブルの位置を規制する、
ことを特徴とする請求項５に記載のテーブル付きフィットネスバイク。
【請求項７】
前記ロック装置は、
テーブル固定座における摺動方向に沿って設けられる、複数の位置規制孔を有する位置規制バーと、
テーブルの下方に設けられる第２のハンドルと、
第２のハンドルに接続されるピンと、を含み、
第２のハンドルを回動すると、それに連動してピンが位置規制孔から脱離し、第２のハンドルを放すと、ピンが復帰機能に連動して任意の位置規制孔に挿入されロックする、
ことを特徴とする請求項５に記載のテーブル付きフィットネスバイク。
【請求項８】
前記テーブルとテーブル固定座との間には、テーブルがテーブル固定座に対して移動するように制御する電動式の第２のリニア駆動装置が設けられ、
前記第２のリニア駆動装置の制御ボタンはテーブルに設けられる、
ことを特徴とする請求項１に記載のテーブル付きフィットネスバイク。
【発明の詳細な説明】
【技術分野】
【０００１】
本発明は、フィットネス機器に関し、具体的には、テーブル付きフィットネスバイクに関する。
【背景技術】
【０００２】
フィットネスバイク自体は既に普及している。近年、健康的に業務を行ったり、従業員が仕事しながら運動するために、テーブル付きフィットネスバイクが登場している。このようなテーブル付きフィットネスバイクでは、通常、フィットネスバイクのハンドルにノードパソコンや、水筒などの業務用の必要品を置くための１つのテーブルが追加されている。これにより、従業員は、フィットネスバイクで仕事をすることができ、ユーザの健康に対する要望に合致する。
しかしながら、従来のテーブル付きフィットネスバイクでは、通常テーブルの位置を調整できず、体格の異なる人が使用するときには、不便を感じていた。
【発明の概要】
【０００３】
本発明では、テーブルの位置が前後上下に調整可能なテーブル付きフィットネスバイクを提供する。
本発明のテーブル付きフィットネスバイクは、フィットネスバイク車体アセンブリ及びテーブルアセンブリを含み、上記テーブルアセンブリは、摺動可能に接続するテーブル及びテーブル固定座を含み、上記テーブル固定座は、当該テーブル固定座をフィットネスバイク車体アセンブリに対して上下に昇降可能な昇降アセンブリによりフィットネスバイク車体に接続する。
【０００４】
本発明のフィットネスバイクの構造によれば、ユーザは、調整テーブルの高さ及び前後の位置を調整することができ、体格の異なるユーザに対応できるとともに、ユーザが調整のときにフィットネスバイクに乗ったまま、テーブルを操作できるため、操作が簡単かつ便利である。さらに、ユーザがフィットネスバイクを使用しないときには、テーブルを上げてテーブル固定座からスライドしてテーブル固定座から外した後、立てテーブルとして使用できるため、非常に実用的である。
【０００５】
以下、本発明の好ましい形態について説明する。
上記昇降アセンブリには、摺動スリーブと、摺動スリーブ内に設けられ、下端がフィットネスバイク車体に接続し、かつ上端が摺動スリーブに接続するロック機能付きガススプリングが設けられ、摺動スリーブは、フィットネスバイク車体に挿入して接続され、ロック機能付きガススプリングによりフィットネスバイク車体に対して昇降可能であり、上記テーブル固定座には、接続アセンブリを介してロック機能付きガススプリングの制御弁に接続し、ロック機能付きガススプリングの解放及びロックを制御するための第１のハンドルが設けられる。このようなロック機能付きガススプリングの昇降アセンブリによれば、テーブルを上昇するときは、ロック機能付きガススプリングにより力を加えるため、ユーザは降りることなくフィットネスバイクに乗ったまま操作でき、便利に使用できる。
【０００６】
上記第１のハンドルは、第１のハンドル固定座によりテーブル固定座に固定され、第１のシャフトを介して第１のハンドル固定座に回動可能に接続し、第１のシャフトの他端は押圧ブロックに接続し、押圧ブロックの下方には復帰バネ付きの突き出しピンアセンブリが設けられ、突き出しピンアセンブリはロック機能付きガススプリング上端の制御弁に接続し、第１のハンドルを回動すると、押圧ブロックが下方に押圧し、突き出しピンアセンブリを下方に移動させ、ロック機能付きガススプリングの制御弁を解放状態にし、第１のハンドルを放すと、突き出しピンアセンブリが復帰バネにより元の位置に戻り、ロック機能付きガススプリングの制御弁を閉じ、ロック機能付きガススプリングをロック状態にする。このようなハンドル及び接続部材からなる機械的な構造は、非常に安定である。
【０００７】
上記昇降アセンブリは電動式のリニア駆動装置であり、第１のリニア駆動装置を用いてテーブル固定座とフィットネスバイク車体とを接続し、テーブル固定座のフィットネスバイク車体に対する昇降を制御し、第１のリニア駆動装置の制御ボタンはテーブルに設けられる。このような形態によれば、テーブルの昇降を電動で制御できる。
【０００８】
前記テーブルがテーブル固定座に対して摺動可能に接続する構造では、テーブルの下方にスライドレールが設けられ、テーブル固定座には、スライドレールに摺動可能に接続するスライドブロックが設けられ、テーブルがスライドレールを介してテーブル固定座に摺動可能に接続し、上記テーブルとテーブル固定座との間に、さらにテーブルを異なる摺動位置に固定するためのロック装置が設けられる。このような形態によれば、テーブルを異なる前後位置にロックできるため、ユーザが便利に使用できる。
【０００９】
上記ロック装置は、第２のハンドルと、テーブル固定座に固定して接続された歯付きの位置規制バーとを含み、第２のハンドルは第２のハンドル固定座によりテーブルの下方に接続し、第２のハンドルは第２のシャフトを介して第２のハンドル固定座に回動可能に接続し、第２のシャフトの他端には歯付きの係止端が設けられ、第２のシャフトと第２のシャフト固定座との間には、さらに復帰ねじりバネが設けられ、第２のハンドルの回動に連動して係止端が回動し位置規制バーの歯から脱離し、テーブルをテーブル固定座に対して摺動させ、第２のハンドルを放すと、係止端が復帰ねじりバネにより元の位置に戻り、位置規制バーの任意の歯に掛かかって止まり、テーブルの位置を規制する。このようなロック装置によれば、構造が簡単でかつ安定である。
【００１０】
前記ロック装置はピンであり、前記ロック装置は、テーブル固定座における摺動方向に沿って設けられる、複数の位置規制孔を有する位置規制バーと、テーブルの下方に設けられる第２のハンドルと、第２のハンドルに接続されるピンとを含み、第２のハンドルを回動すると、それに連動してピンが位置規制孔から脱離し、第２のハンドルを放すと、ピンが復帰機能に連動して任意の位置規制孔に挿入されロックする。
【００１１】
上記テーブルとテーブル固定座との間には、テーブルがテーブル固定座に対して移動するように制御する電動式の第２のリニア駆動装置が設けられ、上記第２のリニア駆動装置の制御ボタンはテーブルに設けられる。このような形態によれば、テーブルを前後に電動で移動することができ、簡単かつ便利である。
【図面の簡単な説明】
【００１２】
【図１】本発明の一実施形態によるテーブル付きフィットネスバイクの構造の一例を示す模式図である。
【図２】本発明の一実施形態によるテーブル付きフィットネスバイクを分解した状態を示す模式図である。
【図３】本発明の一実施形態によるテーブル付きフィットネスバイクの一部を分解した状態を示す模式図である。
【図４】本発明の一実施形態によるテーブル付きフィットネスバイクのロック装置の構造の一例を示す模式図である。
【発明を実施するための形態】
【００１３】
図１、図２、図３、図４に示されるように、本発明では、フィットネスバイク車体アセンブリ１及びテーブルアセンブリを含むテーブル付きフィットネスバイクを提供する。上記テーブルアセンブリは、摺動して接続するテーブル２及びテーブル固定座１１を含む。上記テーブル固定座１１は、当該テーブル固定座１１をフィットネスバイク車体アセンブリ１に対して上下に昇降させる昇降アセンブリによりフィットネスバイク車体アセンブリ１に接続される。
【００１４】
図２、図３に示されるように、本実施例においては、上記昇降アセンブリは、摺動スリーブ４と、摺動スリーブ４内に設けられ、下端がフィットネスバイク車体アセンブリ１、通常は、車体アセンブリの底部のフレームに接続し、かつ上端が摺動スリーブ４に接続するロック機能付きガススプリング３を含む。摺動スリーブ４は、フィットネスバイク車体アセンブリ１に挿入されて接続する。フィットネスバイク車体アセンブリ内には摺動スリーブ４と摺動して接続するスタンドパイプが設けられ、摺動スリーブ４はスタンドパイプ内を摺動して接続し、ロック機能付きガススプリング３によりフィットネスバイク車体アセンブリ１に対して昇降可能である。上記テーブル固定座１１には接続アセンブリを介してロック機能付きガススプリング３の制御弁に接続する、ロック機能付きガススプリング３の解放及びロックを制御するための第１のハンドル５が設けられている。
【００１５】
上記第１のハンドル５は第１のハンドル固定座６によりテーブル固定座１１に固定される。本実施例において、第１のハンドル固定座６はＵ字状の構造であり、テーブル固定座１１の斜め下に固定される。第１のハンドル５は、第１のシャフトを介して第１のハンドル固定座６に回動可能に接続し、第１のシャフトの他端が押圧ブロック７に接続する。押圧ブロック７の下方には復帰バネ付きの突き出しピンアセンブリ８が設けられ、突き出しピンアセンブリ８はロック機能付きガススプリング３の上端の制御弁に接続する。第１のハンドル５を回動すると、押圧ブロック７が下方に移動し、突き出しピンアセンブリ８を押して下方に移動させ、突き出しピンアセンブリ８の下端がロック機能付きガススプリング３の制御弁を下方に押すことにより、ロック機能付きガススプリング３の制御弁を解放状態にし、第１のハンドル５を放すことにより、突き出しピンアセンブリ８が復帰バネにより元の位置に復帰し、ロック機能付きガススプリング３の制御弁を閉じ、ロック機能付きガススプリング３をロック状態にする。
【００１６】
上記昇降アセンブリによれば、ロック機能付きガススプリングによりテーブル固定座の昇降を制御することができる。普通のガススプリングによりテーブル固定座の昇降を制御してもよく、その場合には、昇降アセンブリに高さロック機構を追加する必要がある。当然、このような構成も本発明の保護範囲に含まれる。
【００１７】
他の実施例では、上記昇降アセンブリとしては、電動式のリニア駆動装置を採用することもできる。ここでは、第１のリニア駆動装置を用いてテーブル固定座とフィットネスバイク車体とを接続し、テーブル固定座のフィットネスバイク車体に対する昇降を制御し、第１のリニア駆動装置の制御ボタンはテーブルに設けられる。リニア駆動装置自体は、公知であるため、ここでは昇降アセンブリの昇降原理を詳細には説明しない。
【００１８】
図２及び図４に示されるように、上記テーブル２がテーブル固定座１１に摺動可能に接続する構造とする。具体的には、テーブル２の下方にスライドレール１３が設けられ、テーブル固定座１１に、スライドレール１３に摺動して接続するスライドブロックが設けられ、テーブル２がスライドレール１３を介してテーブル固定座１１に摺動して接続し、上記テーブル２とテーブル固定座１１との間にさらにテーブル２を異なる摺動位置に固定するためのロック装置が設けられる。テーブルがテーブル固定座に対してスムーズに摺動するために、通常、スライドレールを用いてテーブルをテーブル固定座に摺動可能に接続する。
【００１９】
本実施例において、上記ロック装置は、第２のハンドル９と，テーブル固定座１１に固定して接続された歯付きの位置規制バー１２とを含み、第２のハンドル９は第２のハンドル固定座１０によりテーブル２の下方に接続する。第２のハンドル９は第２のシャフトを介して第２のハンドル固定座１０に回動可能に接続する。第２のシャフトの他端には歯付きの係止端１５が設けられ、第２のシャフトと第２のシャフト固定座１０との間には、さらに復帰ねじりバネ１６が設けられる。第２のハンドル９の回動に連動して係止端１５が回動して位置規制バー１２の歯から脱離し、テーブル２をテーブル固定座１１に対して摺動させる。第２のハンドル９を放すと、係止端１５が復帰ねじりバネ１６により元の位置に戻り、位置規制バー１２の任意の歯に掛かかって止まり、テーブル２の位置を規制する。
【００２０】
ロック装置の他の実施例では、ロック装置はピンからなり、上記ロック装置は、テーブル固定座の摺動方向に沿って設けられる、複数の位置規制孔を有する位置規制バーと、テーブルの下方に設けられる第２のハンドルと、第２のハンドルに接続されるピンとを含む。そして、第２のハンドルを回動すると、それに連動してピンが位置規制孔から脱離し、第２のハンドルを放すと、ピンが復帰機能に連動して任意の位置規制孔に挿入されロック機能を実現する。
【００２１】
勿論、ロック装置は、摩擦して締め付ける方式でロックしてもよい。即ち、第２のハンドルによりテーブル及びテーブル固定座のそれぞれに設けられる２つの摩擦シートの摩擦面がお互いに接近、又は離間するように制御する。そして、接近すると、摩擦力によりロックされ、一方、離間すると、テーブルがテーブル固定座に対して摺動可能となる。
【００２２】
他の実施例では、テーブル２とテーブル固定座１１との間に、テーブルがテーブル固定座に対して移動するように制御する電動式の第２のリニア駆動装置が設けられる。上記第２のリニア駆動装置の制御ボタンはテーブルに設けられる。このような形態によれば、テーブルを電動的に前後に移動することも実現でき、使用が簡単かつ便利である。
【符号の説明】
【００２３】
１  フィットネスバイク車体アセンブリ、２  テーブル、３  ロック機能付きガススプリング、４  摺動スリーブ、５  第１のハンドル、６  第１のハンドル固定座、７  押圧ブロック、８  突き出しピンアセンブリ、９  第２のハンドル、１０  第２のハンドル固定座、１１  テーブル固定座、１２  位置規制バー、１３  レール、１４  カバー、１５  係止端、１６  復帰ねじりバネ
【図１】
2018198922.tif 000003
【図２】
2018198922.tif 000004
【図３】
2018198922.tif 000005
【図４】
2018198922.tif 000006